(57)【要約】【課題】防音性能と床上の歩行感を両立できる防音床構造を提供する。【解決手段】梁１と当該梁１間を繋ぐように配置された小梁２との交差部が所定ピッチ（１０００ｍｍ）で形成されており、上記梁１と上記小梁２を覆うように配置された二重床下側板３上の上記交差部の位置に弾性支持スペーサ４が配置されるとともに、上記所定ピッチの半ピッチ（５００ｍｍ）となる上記交差部以外の箇所にも上記弾性支持スペーサ４が配置され、上記弾性支持スペーサ４を覆って空間を形成するように二重床上側板５が配置されている。【選択図】図１
2015010346.tif 000002
【特許請求の範囲】
【請求項１】
木造軸組建物の防音床構造において、梁と当該梁間を繋ぐように配置された小梁との交差部が所定ピッチで形成されており、上記梁と上記小梁を覆うように配置された二重床下側板上の上記交差部の位置に弾性支持スペーサが配置されるとともに、上記所定ピッチの半ピッチとなる上記交差部以外の箇所にも上記弾性支持スペーサが配置され、上記弾性支持スペーサを覆って空間を形成するように二重床上側板が配置されていることを特徴とする防音床構造。
【請求項２】
請求項１に記載の防音床構造において、上記所定ピッチは１０００ｍｍ、９１０ｍｍまたは９００ｍｍのいずれかであり、上記半ピッチは５００ｍｍ、４５５ｍｍまたは４５０ｍｍとされることを特徴とする防音床構造。
【請求項３】
請求項１または請求項２に記載の防音床構造において、上記弾性支持スペーサは全体が同一の弾性素材からなることを特徴とする防音床構造。
【請求項４】
請求項１〜請求項３のいずれか１項に記載の防音床構造において、上記二重床上側板の上に１枚または複数枚の遮音マットが配置されており、上記遮音マット上に床下地板が配置されていることを特徴とする防音床構造。
【請求項５】
請求項１〜請求項４のいずれか１項に記載の防音床構造において、上記弾性支持スペーサと上記二重床下側板とが両面テープまたは接着剤によって固定されていることを特徴とする防音床構造。
【請求項６】
請求項１〜請求項５のいずれか１項に記載の防音床構造において、上記弾性支持スペーサと上記二重床上側板とが両面テープまたは接着剤によって固定されていることを特徴とする防音床構造。
【請求項７】
請求項１〜請求項６のいずれか１項に記載の防音床構造において、上記弾性支持スペーサの硬度が、デュロメータ硬度で５５以上７５以下の範囲またはこれに相当する硬さ範囲にあり、上記弾性支持スペーサの高さが５０ｍｍ以上１００ｍｍ以下の範囲にあり、上記弾性支持スペーサの断面積が７５６９ｍｍ２±３５％以内の範囲にあることを特徴とする防音床構造。
【発明の詳細な説明】
【技術分野】
【０００１】
この発明は、木造軸組建物に好適な防音床構造に関する。
【背景技術】
【０００２】
特許文献１には、二重床構造が開示されている。この二重床構造は、床躯体に配置された二重床用支持脚と、該二重床用支持脚の上面に架け渡された矩形木質パネルと、該矩形木質パネルの上に敷設された床下地材及び床仕上げ材とから構成してあり、二重床用支持脚は、木質系材料からなる正方形の板片を３枚積層して直方体の支持ブロックとし、該支持ブロックの最下層を構成する矩形板片の露出面隅部４箇所に衝撃吸収材をそれぞれ突設して構成してあり、該衝撃吸収材が上階床躯体を構成する硬質石膏ボードの上面に当接するように該上階床躯体に配置してある。
【０００３】
また、特許文献２には、床下地構造に用いられる支持脚であって、中実で略円柱状であるがその側面に少なくとも一の環状の凹みが形成される本体と、この本体から上方に突出する略円柱状の突出部とを有してなり、少なくとも本体が弾性材料から形成される支持脚が開示されている。
【０００４】
また、特許文献３には、床梁の上面に敷設される下地板による下側床面と、間隔をおいて複数配置される根太部材と該根太部材の上面に敷設される床下地板とで構成される該下側床面と独立した上側床面と、該床面間に配置されるスペーサ材および吸音材とによって構成される木造住宅用防音床構造が開示されている。
【０００５】
また、特許文献４には、床梁の上面に敷設される下側下地板と、下側下地板の上面に敷設される緩衝材と、緩衝材の上面に敷設される上側下地板と、上側下地板の上面に間隔をおいて複数配置される根太部材および該根太部材の間隔部分に配設される重量物からなる質量層と、根太部材の上面に敷設されて質量層を覆って配置される床下地板とによって構成される遮音床構造が開示されている。
【先行技術文献】
【特許文献】
【０００６】
【特許文献１】特開２０１１−２５６５３１号公報
【特許文献２】特開２００９−２０９６７０号公報
【特許文献３】特開２００５−２９０９１３号公報
【特許文献４】特開２００３−２９３５７１号公報
【発明の概要】
【発明が解決しようとする課題】
【０００７】
しかしながら、これら従来の防音床構造では、防音性能と床上の歩行感を両立できるものではなかった。
【０００８】
この発明は、上記の事情に鑑み、防音性能と床上の歩行感を両立できる防音床構造を提供することを課題とする。
【課題を解決するための手段】
【０００９】
この発明の防音床構造は、上記の課題を解決するために、木造軸組建物の防音床構造において、梁と当該梁間を繋ぐように配置された小梁との交差部が所定ピッチで形成されており、上記梁と上記小梁を覆うように配置された二重床下側板上の上記交差部の位置に弾性支持スペーサが配置されるとともに、上記所定ピッチの半ピッチとなる上記交差部以外の箇所にも上記弾性支持スペーサが配置され、上記弾性支持スペーサを覆って空間を形成するように二重床上側板が配置されていることを特徴とする。
【００１０】
上記の構成であれば、上記弾性支持スペーサによる二重床構造が形成されるので防音性能が向上する。また、上記弾性支持スペーサは、上記梁と上記小梁を覆うように配置された二重床下側板上の上記交差部の位置に配置され、さらに、上記所定ピッチの半ピッチとなる上記交差部以外の箇所にも配置される。これにより、上記弾性支持スペーサの配置ピッチは広すぎることなく床の歩行感（剛性感）が良好になる一方、狭すぎることもなくなり遮音性の低下を防止できる。すなわち、防音性能と床上歩行感を両立できる。
【００１１】
上記所定ピッチは、１０００ｍｍ、９１０ｍｍまたは９００ｍｍのいずれかであり、上記半ピッチは５００ｍｍ、４５５ｍｍまたは４５０ｍｍとされてもよい。
【００１２】
上記弾性支持スペーサは全体が同一の弾性素材からなっていてもよい。これによれば、ボルト等の脚部を有する支持スペーサに比べて上記弾性支持スペーサのコストを低くすることができる。
【００１３】
上記二重床上側板の上に１枚または複数枚の遮音マットが配置されており、上記遮音マット上に床下地板が配置されていてもよい。これによれば、遮音性が一層向上する。
【００１４】
上記弾性支持スペーサと上記二重床下側板とが両面テープまたは接着剤によって固定されていてもよい。また、上記弾性支持スペーサと上記二重床上側板とが両面テープまたは接着剤によって固定されていてもよい。これによれば、地震等によって上記弾性支持スペーサの配置にずれが生じるのを防止できる。また、釘やボルトで上記弾性支持スペーサを固定した場合には音が階下に上記釘等によって伝搬するおそれがあるが、このようなおそれを生じさせることもない。さらに、上記両面テープ等を用いると、上記弾性支持スペーサの配置作業が簡素化され、施工性が向上する。
【００１５】
上記弾性支持スペーサの硬度が、デュロメータ硬度で５５以上７５以下の範囲またはこれに相当する硬さ範囲にあり、上記弾性支持スペーサの高さが５０ｍｍ以上１００ｍｍ以下の範囲にあり、上記弾性支持スペーサの断面積が７５６９ｍｍ２±３５％以内の範囲にあるようにしてもよい。これによれば、上記弾性支持スペーサの配置ピッチによる歩行感と遮音性の両立を維持しつつ二重床構造における空間の高さ確保と汎用的な硬度を有する弾性支持スペーサの使用による低コスト化が図れることになる。
【発明の効果】
【００１６】
本発明であれば、木造軸組建物の防音床構造として防音性能と床上の歩行感を両立できるという効果を奏する。
【図面の簡単な説明】
【００１７】
【図１】本発明の実施形態にかかる木造軸組建物の防音床構造を示した断面図である。
【図２】図１の防音床構造における梁と小梁と弾性支持スペーサの配置関係を示した平面図である。
【図３】図１の防音床構造における梁と小梁と弾性支持スペーサの配置関係を示した斜視図である。
【発明を実施するための形態】
【００１８】
以下、この発明の実施の形態を添付図面に基づいて説明する。
図１および図２に示すように、この実施形態の木造軸組建物の防音床構造においては、梁１と当該梁１間を繋ぐように配置された小梁２との交差部が所定ピッチで形成されており、上記梁１と上記小梁２を覆うように二重床下側板３が配置されている。上記所定ピッチは例えば１０００ｍｍとされる。また、上記二重床下側板３は２４ｍｍ〜３５ｍｍ厚の合板またはパーチクルボードからなり、上記梁１に釘等によって固定されている。
【００１９】
また、図３にも示すように、上記二重床下側板３上の上記交差部の位置に弾性支持スペーサ４が配置されている。さらに、上記所定ピッチの半ピッチ（５００ｍｍ）となる上記交差部以外の箇所にも上記弾性支持スペーサ４が配置されている。そして、図１に示したように、上記弾性支持スペーサ４上には、当該弾性支持スペーサ４を覆って空間を形成するように二重床上側板５が配置されている。上記二重床上側板５は、２４ｍｍ〜３５ｍｍ厚の合板またはパーチクルボードからなっている。
【００２０】
上記弾性支持スペーサ４と上記二重床下側板３とは両面テープまたは接着剤によって固定されている。また、上記弾性支持スペーサ４と上記二重床上側板５も両面テープまたは接着剤によって固定されている。
【００２１】
上記二重床下側板３と上記二重床上側板５との間の空間には吸音材６が設けられている。この吸音材６は例えば厚さ５０ｍｍのグラスウールからなる。
【００２２】
上記二重床上側板５の上に２枚の遮音マット７が配置されている。上記遮音マット７はアスファルト系素材からなり、厚さは８ｍｍに設定されている。そして、上記遮音マット７上には床下地板８が配置されている。上記床下地板８は、１２ｍｍ厚の合板からなっている。
【００２３】
上記二重床上側板５と上記遮音マット７と上記床下地板８とは釘（例えば長さ３８ｍｍ）によって相互に固定されている。さらに、上記床下地板８とその上に配置される床仕上げ板９とは接着材およびフロア釘によって相互に固定されている。このように、床材が相互に固定されることによって、床材のばたつきによる音の発生が防止されることになる。
【００２４】
上記梁１には釘によって吊り木１０が固定されており、この吊り木１０によって野縁受け１１が支持されている。そして、上記野縁受け１１に野縁１２が固定されており、この野縁１２には厚さが１２．５ｍｍの２枚の石こうボード１３が釘によって固定されている。上記石こうボード１３の上（天井裏）には、グラスウールが配置されている。
【００２５】
上記弾性支持スペーサ４は、全体がクロロプレンゴムなどの弾性素材からなる六面体形状を有しており、断面寸法が８７×８７ｍｍ（この場合の断面積は７５６９ｍｍ２）、高さが８０ｍｍ、デュロメータ硬度が６５となっている。もちろん、これは一例であり、上記弾性支持スペーサの断面積は７５６９ｍｍ２±３５％以内の四角形または円形を有するものでもよい。なお、この実施例では、当該建物で用いる束部材の断面寸法は８７×８７ｍｍとしており、この断面寸法に上記弾性支持スペーサ４の断面寸法を一致させている。また、上記弾性支持スペーサ４の高さは５０ｍｍ以上１００ｍｍ以下であり、上記弾性支持スペーサ４の硬度は、デュロメータ硬度で５５以上７５以下の範囲またはこれに相当する硬さ範囲にある。また、上記弾性支持スペーサ４は、上記クロロプレンゴムなどのゴム素材に限らず、軟質樹脂（熱可塑性エラストマー）等からなる弾性体を用いることができる。
【００２６】
上記構造の床における上記弾性支持スペーサ４を省略した状態での１平米当たりの重量は、上記二重床下側板３および上記二重床上側板５の１平米当たりの重量を１４．４ｋｇ／ｍ２、上記吸音材６の１平米当たりの重量を０．５ｋｇ／ｍ２、上記遮音マット７の１枚の１平米当たりの重量を２５．６ｋｇ／ｍ２、上記床下地板８の１平米当たりの重量を７．２ｋｇ／ｍ２、上記床仕上げ板９の１平米当たりの重量を７．２ｋｇ／ｍ２とすると、合計９４．９ｋｇ／ｍ２となる。そして、上記弾性支持スペーサ４は１平米当たりに４個存在することになるので、この４個の合計重量を加算した総重量が上記床における１平米当たりの重量となる。
【００２７】
なお、天井の１平米当たりの重量は、天井裏のグラスウールの１平米当たりの重量を０．５ｋｇ／ｍ２、上記野縁１２の１平米当たりの重量を６．０ｋｇ／ｍ２、上記石こうボード１３の１平米当たりの重量を９．４ｋｇ／ｍ２とすると、合計２５．３ｋｇ／ｍ２となる。
【００２８】
上記のように、上記弾性支持スペーサ４によって二重床構造が形成されるので防音性能が向上することになる。また、上記弾性支持スペーサ４は上記梁１と上記小梁２を覆うように配置された二重床下側板３上の所定ピッチ（１０００ｍｍ）で形成される上記交差部の位置に配置され、さらに、上記所定ピッチの半ピッチ（５００ｍｍ）となる上記交差部以外の箇所にも配置されるので、上記弾性支持スペーサ４の配置ピッチは広すぎることなく床の歩行感（剛性感）が良好になる一方、狭すぎることもないので遮音性の低下を防止できる。すなわち、防音性能と床上歩行感を両立できる。
【００２９】
また、上記弾性支持スペーサ４がその全体において同一の弾性素材からなっていると、ボルト等の脚部を有する支持スペーサに比べて上記弾性支持スペーサ５のコストを低くすることができる。また、上記二重床上側板５の上に遮音マット７が配置されていると、遮音性が一層向上する。
【００３０】
上記弾性支持スペーサ４と上記二重床下側板３とが両面テープまたは接着剤によって固定されており、また、上記弾性支持スペーサ４と上記二重床上側板５とが両面テープまたは接着剤によって固定されていると、地震等によって上記弾性支持スペーサ４の配置にずれが生じるのを防止できる。また、釘やボルトで上記弾性支持スペーサ４を固定した場合には音が階下に上記釘等によって伝搬するおそれがあるが、このようなおそれを生じさせることもない。さらに、上記弾性支持スペーサ４の配置作業が簡素化され、施工性が向上する。
【００３１】
また、上記弾性支持スペーサ４の硬度が、デュロメータ硬度で５５以上７５以下の範囲またはこれに相当する硬さ範囲にあり、上記弾性支持スペーサの高さが５０ｍｍ以上１００ｍｍ以下の範囲にあり、上記弾性支持スペーサの断面積が７５６９ｍｍ２±３５％以内の範囲にあると、上記弾性支持スペーサ４の配置ピッチによる歩行感と遮音性の両立を維持しつつ二重床構造における空間の高さ確保と汎用的な硬度を有する弾性支持スペーサ４の使用による低コスト化が図れることになる。
【００３２】
上記範囲内において、上記弾性支持スペーサ４の断面積を大きくして硬度を低くすること、或いは上記弾性支持スペーサ４の断面積を小さくして硬度を高くすることで歩行感と遮音性を一定の範囲内で両立することができる。同じく、上記範囲内において、上記弾性支持スペーサ４の高さを低くして上記弾性支持スペーサ４の硬度を低くすること、或いは上記弾性支持スペーサ４の高さを高くして上記弾性支持スペーサ４の硬度を高くすることで歩行感と遮音性を一定の範囲内で両立することができる。
【００３３】
なお、上記の実施形態では、上記所定ピッチが１０００ｍｍで上記弾性支持スペーサ４の配置ピッチが５００ｍｍとなる構造例を示したが、これに限らず、所定ピッチが９１０ｍｍで上記弾性支持スペーサ４の配置ピッチが４５５ｍｍとなる構造、或いは所定ピッチが９００ｍｍで上記弾性支持スペーサ４の配置ピッチが４５０ｍｍとなる構造等とすることができる。このような配置ピッチにおいても、上記弾性支持スペーサ４を、上記硬度範囲、高さ範囲および断面積範囲内で選択することができる。なお、重量床衝撃音遮断性能の総合的な数値は、上記弾性支持スペーサ４の配置ピッチ、硬度、断面寸法、高さの他、床構成板材の厚さや遮音マットの有無などにより変動し、また、このような要素によって床上の歩行感も影響を受けることになる。上記床構成板材や遮音マットについても厚さや個数等は限定されない。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      梁
２      小梁
３      二重床下側板
４      弾性支持スペーサ
５      二重床上側板
６      吸音材
７      遮音マット
８      床下地材
９      床仕上げ板
【図１】
2015010346.tif 000003
【図２】
2015010346.tif 000004
【図３】
2015010346.tif 000005